(57)【要約】      （修正有）【課題】ブーム上面に沿って張設しようとする吊荷ワイヤの索端を、ブーム上面に対して無接触で且つ確実にブーム先端部まで移動させ得る被張設吊荷ワイヤの張設案内具を提供する。【解決手段】ブーム基端側からブーム先端部まで張設される第１吊荷ワイヤと第２吊荷ワイヤが装備されるクレーンにおいて、張設すべき吊荷ワイヤ５２をブーム上面に沿って張設する際に使用する被張設吊荷ワイヤの張設案内具であって、上記被張設吊荷ワイヤ５２の索端５２ａに、ブーム上面に沿って張設している既張設吊荷ワイヤ５１に対して上記索端５２ａをスライド自在に吊下させ得る引っ掛け具６５を設けていることにより、該引っ掛け具６５を既張設吊荷ワイヤ５１に引っ掛けることで被張設吊荷ワイヤ５２の索端５２ａを既張設吊荷ワイヤ５１から宙吊り状態で移動させ得るようにしている。【選択図】図１
0003203637.tif 000002
【実用新案登録請求の範囲】
【請求項１】
ブーム基端側からブーム先端部まで張設される第１吊荷ワイヤと第２吊荷ワイヤが装備されるクレーンにおいて、張設すべき吊荷ワイヤをブーム上面に沿って張設する際に使用する被張設吊荷ワイヤの張設案内具であって、
上記被張設吊荷ワイヤの索端に、上記ブーム上面に沿って張設している既張設吊荷ワイヤに対して上記索端をスライド自在に吊下させ得る引っ掛け具を設けている、
ことを特徴とする被張設吊荷ワイヤの張設案内具。
【請求項２】
請求項１において、
上記引っ掛け具は上記索端に対して着脱自在に取付けている、
ことを特徴とする被張設吊荷ワイヤの張設案内具。
【考案の詳細な説明】
【技術分野】
【０００１】
本考案は、ブーム基端側からブーム先端部まで張設される第１吊荷ワイヤと第２吊荷ワイヤが装備されるクレーンにおいて、張設すべき吊荷ワイヤをブーム上面に沿って張設する際に使用する被張設吊荷ワイヤの張設案内具に関するものである。
【背景技術】
【０００２】
移動式クレーンの中には、旋回台上に第１ウインチ（メインウインチ）と第２ウインチ（サブウインチ）の２つのウインチを装備し、クレーン作業の内容に応じて第１ウインチに巻回している第１吊荷ワイヤ（索端にメインフックが取付けられる）と第２ウインチに巻回している第２吊荷ワイヤ（索端にサブフックが取付けられる）とを使い分けるようにしたものがある。尚、本願の説明では、上記第１ウインチ（メインウインチ）に巻回している第１吊荷ワイヤをメイン吊荷ワイヤと称し、上記第２ウインチ（サブウインチ）に巻回している第２吊荷ワイヤをサブ吊荷ワイヤと称することがある。
【０００３】
ところで、移動式クレーンにおいて、ウインチに巻回している吊荷ワイヤをブーム上面に沿ってブーム先端部まで張設するのに、当社では例えば特開２０１５−２２７２３６号公報（特許文献１）に示されるロープ連結サポート（発明の名称は、クレーン車における吊荷ロープ張設時に使用するロープ連結サポート）を使用している。
【０００４】
この公知（特許文献１）のロープ連結サポートは、ブーム上面を引き摺り得るソリ状の基台を有している。そして、このロープ連結サポートは、ブーム基端側において、上記基台に、張設すべき吊荷ワイヤの索端（この索端には一般に索端固定具が取付けられる）と牽引ロープ（細紐）の一端とをそれぞれ連結した状態で、牽引ロープの他端側をブーム先端部のシーブを介して地上から引き下げることによって、ウインチから巻解かれた吊荷ワイヤの先端側を上記基台とともにブーム上面に沿ってブーム先端部まで引出し得る機能を有するものである。
【０００５】
ところで、吊荷ワイヤをブーム上面に沿って張設するのに、上記公知例（特許文献１）のようにロープ連結サポートをブーム上面上で引き摺る場合は、ブーム上面の幅が狭いと該ロープ連結サポートがブーム側方に脱落することがある。
【０００６】
そこで、この種の移動式クレーンには、ブーム上面部分におけるブーム長さ方向に間隔をもった複数箇所にワイヤがブーム側方に脱落するのを防止するためのガード部材が設けられている。このガード部材は、左右の立上げ棒をブーム上面部分において連結棒で連結したものであって、ブーム上面部分にはガード部材の連結棒部分が横たわっている。
【先行技術文献】
【特許文献】
【０００７】
【特許文献１】特開２０１５−２２７２３６号公報
【考案の概要】
【考案が解決しようとする課題】
【０００８】
そして、上記公知例（特許文献１）のロープ連結サポートを用いて吊荷ワイヤをブーム上面に沿って張設する際には、上記ガード部材（特にブーム上面に横たわる連結棒部分）がブーム上面を引き摺られるロープ連結サポート（ソリ状の基台）の障害物となり、該ロープ連結サポートが上記障害物に衝合することでロープ連結サポート（基台部分）が引っ掛かったり姿勢変更したりして、スムーズな移動ができにくくなるという問題があった。
【０００９】
又、吊荷ワイヤの張設時に、上記ロープ連結サポートがブーム上面を引き摺られると、ブーム上面の塗装が剥げ易くなるという問題もあった。
【００１０】
そこで、本考案は、ブーム上面に沿って張設すべき吊荷ワイヤの索端をブーム上面に対して無接触で且つ確実に移動させ得るようにした被張設吊荷ワイヤの張設案内具を提供することを目的としている。
【課題を解決するための手段】
【００１１】
本考案は、上記課題を解決するための手段として次の構成を有している。尚、本願の考案の名称は「被張設吊荷ワイヤの張設案内具」であるが、以下の説明では、本願の考案の名称を簡略して「ワイヤ張設案内具」と称することがある。
【００１２】
本考案のワイヤ張設案内具は、ブーム基端側からブーム先端部まで張設される第１吊荷ワイヤと第２吊荷ワイヤが装備されるクレーンにおいて、張設すべき吊荷ワイヤをブーム上面に沿って張設する際に使用するものである。
【００１３】
上記第１吊荷ワイヤはメインの吊荷作業を行うメイン吊荷ワイヤとなるものであり、上記第２吊荷ワイヤはサブの吊荷作業を行うサブ吊荷ワイヤとなるものである。これらの吊荷ワイヤ（第１吊荷ワイヤと第２吊荷ワイヤ）は、ブーム基端側（旋回台上）に設置した第１ウインチ（メインウインチ）と第２ウインチ（サブウインチ）にそれぞれ巻回されている。
【００１４】
そして、本考案のワイヤ張設案内具は、張設すべき吊荷ワイヤの索端に、ブーム上面に沿って張設している既張設吊荷ワイヤに対して上記索端をスライド自在に吊下させ得る引っ掛け具を設けていることを特徴としている。
【００１５】
吊荷ワイヤの索端には、一般に索端固定具（索端止めともいう）が取付けられているが、本願では、この索端固定具を含めたものを索端と表現している。そして、上記引っ掛け具は、上記索端固定具に設けたものでもよい。
【００１６】
本願で使用している上記引っ掛け具は、例えば細線材や薄板材の上部をフック状に屈曲させたものを採用できる。
【００１７】
又、本考案では、上記引っ掛け具は、索端（索端固定具）に固定したままのもの（引っ掛け具に格納し得るものも含む）でもよいが、該引っ掛け具を上記索端（索端固定具）に対して着脱自在に取付けることができる。
【００１８】
本願のワイヤ張設案内具は、第１吊荷ワイヤと第２吊荷ワイヤの少なくとも何れか一方がブーム基端側からブーム先端部まで張設された状態で使用される。尚、以下の説明では、ブーム基端側からブーム先端部まで既に張設されている吊荷ワイヤを既張設吊荷ワイヤといい、これから張設しようとしている未張設の吊荷ワイヤを被張設吊荷ワイヤということがある。
【００１９】
そして、本願のワイヤ張設案内具を使用して、被張設吊荷ワイヤをブーム上面に沿って張設するには、ブームを略水平姿勢まで倒伏させた姿勢で、次のように行われる。
【００２０】
まず、ブーム基端側において被張設吊荷ワイヤの索端（索端固定具を含む）に設けている引っ掛け具を上記既張設吊荷ワイヤに引っ掛けて、被張設吊荷ワイヤの索端を既張設吊荷ワイヤから吊下させる。続いて、この状態で、索端（索端固定具）に牽引ロープの一端を連結した後、該牽引ロープの他端側をブーム先端部のシーブを介してブーム先端部から下方に垂れ下げておく。
【００２１】
ところで、ブームを略水平姿勢まで倒伏している状態では、上記既張設吊荷ワイヤとブーム上面との間に、既張設吊荷ワイヤから吊下させた被張設吊荷ワイヤの索端（索端固定具）をブーム上面に無接触でスライドさせるための隙間がない場合があり、その場合には、ブームを若干角度（例えば角度１０°程度）起仰させることで、上記隙間を索端（索端固定具）がブーム上面に接触しない程度まで大きくできる。尚、上記隙間を大きくするための他の方法としては、ブームを略水平にした状態で、既張設吊荷ワイヤの基端部側を所定高さのマストで持ち上げることでも達成することができる。
【００２２】
次に、被張設吊荷ワイヤのウインチを巻解きながらブーム先端部前方の地上から垂れ下げた牽引ロープの他端側を下方に引き下ろすと、該牽引ロープを介してワイヤ張設案内具（被張設吊荷ワイヤの索端）が既張設吊荷ワイヤに宙吊りにガイドされた状態で順次ブーム先端部まで移動していき、ブーム上面のほぼ全長に亘って被張設吊荷ワイヤが張設される。そして、被張設吊荷ワイヤの索端（ワイヤ張設案内具）がブーム先端部の近傍まで達すると、地上に立設した脚立に登って引っ掛け具を既張設吊荷ワイヤから外し、続いて被張設吊荷ワイヤの先端部付近のワイヤをブーム先端部のシーブに掛けて下方に垂下させ、その被張設吊荷ワイヤの索端から牽引ロープを外して該索端に所定の吊荷フックを付け替えれば、一連の吊荷ワイヤ張設作業が完了する。
【００２３】
又、引っ掛け具が索端（索端固定具）に対して着脱自在なものでは、該引っ掛け具を索端（索端固定具）から取外すことによって、索端（索端固定具）の外表面から突出部分を無くすことができる。
【考案の効果】
【００２４】
本考案のワイヤ張設案内具は、上記被張設吊荷ワイヤの索端（索端固定具を含む）に、該索端を上記既張設吊荷ワイヤから吊下させ得る引っ掛け具を設けているので、被張設吊荷ワイヤをブーム基端側からブーム先端部まで張設する際に、上記引っ掛け具を既張設吊荷ワイヤに引っ掛けることで、被張設吊荷ワイヤの索端を既張設吊荷ワイヤから宙吊りにした状態でブーム上面に沿って移動させることができる。
【００２５】
従って、本考案のワイヤ張設案内具を使用すると、既張設吊荷ワイヤを被張設吊荷ワイヤの索端の引出しのためのガイドとして利用できるので、該索端（索端固定具）を安定姿勢で且つ確実に引出し側に移動させることができるという効果がある。
【００２６】
又、上記索端（索端固定具を含む）の移動時には、該索端が既張設吊荷ワイヤから吊下されていることにより、該索端をブーム上面に対して無接触状態で移動させることができるので、該索端（硬質の索端固定具）の摺れによってブーム上面の塗装が剥げるのを未然に防止できるという効果がある。
【００２７】
さらに、引っ掛け具を上記索端に着脱させ得るようにしたものでは、該索端を既張設吊荷ワイヤから吊下させる必要がないときには、該引っ掛け具を索端から取外しておくことで索端から不要な突出部分を無くすことができる（引っ掛け具が邪魔にならない）という効果もある。
【図面の簡単な説明】
【００２８】
【図１】本願第１実施例のワイヤ張設案内具の斜視図である。
【図２】図１のワイヤ張設案内具の使用方法説明図である。
【図３】図２のIII部拡大図である。
【図４】図１のワイヤ張設案内具を既張設吊荷ワイヤに引っ掛けた状態でブーム上面に沿って移動させる際の第１の形態図である。
【図５】図１のワイヤ張設案内具を既張設吊荷ワイヤに引っ掛けた状態でブーム上面に沿って移動させる際の第２の形態図である。
【図６】本願第２実施例のワイヤ張設案内具の分解斜視図である。
【図７】図６（第２実施例）のワイヤ張設案内具の組付け状態図である。
【考案を実施するための形態】
【００２９】
以下、図１〜図７を参照して本願のいくつか（２つ）の実施例を説明する。尚、以下に説明する本願の各実施例においても、本願の考案の名称である「被張設吊荷ワイヤの張設案内具」を単に「ワイヤ張設案内具」と表現する。
【００３０】
図１には本願第１実施例のワイヤ張設案内具を示し、図２〜図５には図１（第１実施例）のワイヤ張設案内具の使用形態を示し、図６〜図７には本願第２実施例のワイヤ張設案内具を示している。
【００３１】
本願各実施例のワイヤ張設案内具の使用対象となるクレーンとして、例えば図２に示すような移動式クレーンがあるが、この図２の移動式クレーンは、車両１上に旋回台２を設け、該旋回台２に起伏及び伸縮自在なブーム３を取付けている。又、旋回台２上には、第１吊荷ワイヤ５１と第２吊荷ワイヤ５２をそれぞれ巻回している第１ウインチ４１と第２ウインチ４２が設けられていて、クレーン作業の内容に応じて第１ウインチ４１に巻回している第１吊荷ワイヤ５１と第２ウインチ４２に巻回している第２吊荷ワイヤ５２とを使い分けるようにしている。
【００３２】
図２の実施例の移動式クレーンでは、上記第１ウインチ４１がメインウインチであって該メインウインチ４１に巻回している第１吊荷ワイヤ５１がメイン吊荷ワイヤとなり、上記第２ウインチ４２がサブウインチであって該サブウインチ４２に巻回している第２吊荷ワイヤ５２がサブ吊荷ワイヤとなるものである。又、第１吊荷ワイヤ５１及び第２吊荷ワイヤ５２の各先端部（索端）には、それぞれ図１に示すような索端固定具６０が設けられているが、本願でいう索端には該索端固定具６０を含むものである。
【００３３】
図示例（図１）の索端固定具６０は、丸棒体６１の一端側に索端５２ａを埋め込み固定しているとともに、該丸棒体６１の他端側に係止ピン６３を挿通させるピン穴６２を設けている。このピン穴６２及び係止ピン６３は、後述する牽引ロープ７の一端部（輪状部）７１を索端固定具６０に連結する機能を有する一方、索端固定具６０にサブフックを連結したり索端固定具６０をブーム先端部３２に固定したりするのに用いられる。
【００３４】
そして、図２に示すワイヤ張設案内具の使用形態では、第１吊荷ワイヤ（メイン吊荷ワイヤ）５１がブーム基端側（メインウインチ４１）からブーム先端部３２まで張設されていて、既張設吊荷ワイヤとなるものであり、第２吊荷ワイヤ（サブ吊荷ワイヤ）５２がサブウインチ４２に巻回されたままの被張設吊荷ワイヤとなるものである。尚、この実施例の説明では、符号５１の吊荷ワイヤについて第１吊荷ワイヤやメイン吊荷ワイヤや既張設吊荷ワイヤと表現を変えているが何れも同じものであり、符号５２の吊荷ワイヤについも第２吊荷ワイヤやサブ吊荷ワイヤや被張設吊荷ワイヤと表現を変えているが何れも同じものである。
【００３５】
図１に示す第１実施例のワイヤ張設案内具Ａは、被張設吊荷ワイヤ（第２吊荷ワイヤ）５２の索端固定具６０（本願の索端に含まれる）の外面に、既張設吊荷ワイヤ（第１吊荷ワイヤ）５１に対して索端固定具６０をスライド自在に吊下させ得る引っ掛け具６５を設けて構成されたものである。尚、図１に示す第１実施例のワイヤ張設案内具Ａでは、上記引っ掛け具６５を索端固定具６０に設けているので、本願において引っ掛け具６５を設けいてる索端のことを索端固定具６０で説明する。
【００３６】
この第１実施例のワイヤ張設案内具Ａでは、引っ掛け具６５として細線材の上部をフック状に屈曲させたものを２つ使用し、該２つの引っ掛け具６５，６５を索端固定具６０（丸棒体６１）の長さ方向に離間した２箇所に着脱自在に取付けている。この第１実施例の各引っ掛け具６５，６５の着脱は、細線材の下部に設けた雄ネジを丸棒体６１の外面に設けた雌ネジに螺合及び螺解することによって行うものである。尚、図１において、鎖線図示する各引っ掛け具６５′，６５′は、索端固定具６０から取り外した状態を示すものである。
【００３７】
このように、引っ掛け具６５，６５を索端固定具６０に着脱し得るようにしたものでは、索端固定具６０を既張設吊荷ワイヤ５１から吊下させる必要がないときには、該引っ掛け具６５，６５を図１に鎖線図示（符号６５′）するように索端固定具６０から取外しておくことで、索端固定具６０の外表面から突出する部分を無くすことができる（引っ掛け具６５が邪魔にならない）。
【００３８】
尚、本願の他の実施例では、引っ掛け具６５を索端固定具６０に固定したままのものも採用できるが、その場合は、引っ掛け具６５を索端固定具６０の外表面に沿って倒伏（格納）させ得るようにすると、引っ掛け具不使用時に突出部分を無くす（又は小さくする）ことができる。又、該引っ掛け具６５は、索端固定具６０に対して１箇所でもよいが、前後に小間隔をもった２箇所に設けると、索端固定具６０を安定姿勢で吊下させることができる。尚、引っ掛け具６５を薄板材で形成したものでは、索端固定具６０の長さ方向に適宜の幅をもたせることで１つの引っ掛け具６５でも索端固定具６０を安定姿勢で吊下させることができる。
【００３９】
図１に示す第１実施例のワイヤ張設案内具Ａは、図２に示すように、一方の吊荷ワイヤをブーム基端側（旋回台２上のウインチ）からブーム先端部３２まで張設した状態（既張設吊荷ワイヤ５１となる）で、且つブーム３を略水平姿勢まで倒伏させた姿勢で次のように使用される。尚、２本の吊荷ワイヤのうち既張設吊荷ワイヤとなるのは、通常はメイン吊荷ワイヤ５１の方であって、新たに張設しようとする被張設吊荷ワイヤはサブ吊荷ワイヤ５２の場合が多いが、既張設吊荷ワイヤをサブ吊荷ワイヤ５２とする一方、被張設吊荷ワイヤをメイン吊荷ワイヤ５１とすることもできる。
【００４０】
まず、図２に示すように、作業員Ｍ１が旋回台２上に上がって、これから張設しようとしている被張設吊荷ワイヤ（サブ吊荷ワイヤ）５２の索端固定具６０に設けている引っ掛け具６５，６５（図１参照）を、ブーム基端側において既張設吊荷ワイヤ５１に引っ掛けて、被張設吊荷ワイヤ５２の索端（索端固定具６０）を既張設吊荷ワイヤ５１から吊下させる。続いて、この状態で、索端固定具６０に牽引ロープ（細紐）７の一端部７１を連結した後（図３参照）、該牽引ロープ７の他端側７２を地上に垂れ下げておく（図２参照）。
【００４１】
そして、牽引ロープ７の他端側７２を握って該牽引ロープ７をブーム先端部３２まで引き延ばすが、その際、図２に示すように、ブーム先端部３２近傍に立てた脚立１０に作業員Ｍ２が登って、牽引ロープ７′の中間部を振り上げてブーム上面３１に載せた後、該牽引ロープ７′の他端側７２′をブーム先端部３２のシーブ３３，３４を介して符号７２″で示すようにブーム先端部３２の前方に垂れ下げておく。
【００４２】
ところで、ブーム３を略水平姿勢まで倒伏している状態（図２参照）では、図３に拡大図示するように既張設吊荷ワイヤ５１とブーム上面３１との間の間隔Ｓ０が、既張設吊荷ワイヤ５１から吊下させている索端固定具６０をブーム上面３１に無接触でスライドさせるための隙間より小さくなっている。即ち、図２及び図３の状態（上記間隔Ｓ０の状態）では、第１吊荷ワイヤ５１から吊下されている索端固定具６０がブーム上面３１より下方にあって、該索端固定具６０を既張設吊荷ワイヤ５１に対してこのままスライドさせると、該索端固定具６０がブーム上面３１に接触することになる。
【００４３】
そこで、この場合は、図４に示すように、ブーム３を若干角度（例えば角度１０°程度）起仰させることで、上記間隔Ｓ０を間隔Ｓ１で示すように索端固定具６がブーム上面３１に接触しない程度まで大きくできる。
【００４４】
そして、図４の状態で、サブウインチ４２のサブ吊荷ワイヤ５２を巻解きながらブーム先端部３２の前方側に垂れ下げている牽引ロープ７の他端側７２を作業員Ｍ３が下方に引き下ろすことで、該牽引ロープ７を介してサブ吊荷ワイヤ５２の索端固定具６０（ワイヤ張設案内具Ａ）がメイン吊荷ワイヤ５１に宙吊りにガイドされた状態でブーム基端側位置（符号６０及びＡの位置）からブーム先端部近傍位置（符号６０′及びＡ′の位置）まで移動していき、サブ吊荷ワイヤ５２が鎖線図示（符号５２′）するようにブーム上面３１のほぼ全長に亘って張設される。そして、ワイヤ張設案内具Ａ′（索端固定具６０′）がブーム先端部３２の近傍まで達すると、上記脚立１０（図２）に登って引っ掛け具６５，６５をメイン吊荷ワイヤ５１から外し、続いてサブ吊荷ワイヤ５２の先端部付近のワイヤをブーム先端部３２のシーブ３３，３４に掛けて下方に垂下させ、そのサブ吊荷ワイヤの索端固定具から牽引ロープを外して該索端固定具にサブ吊荷フック（図示省略）を付け替える。
【００４５】
又、引っ掛け具６５が索端固定具６０に対して着脱自在なものでは、該引っ掛け具６５を索端固定具６０から取外すことによって、索端固定具６０の外表面から突出部分を無くすことができる（引っ掛け具６５が邪魔にならない）。
【００４６】
図５は、図２に示すように既張設吊荷ワイヤ５１とブーム上面３１との間の隙間Ｓ０を大きくするための他の使用例であるが、この図５の使用例は、ブーム３を略水平姿勢から起仰できない場所において上記隙間を大きくするためのものである。
【００４７】
そして、この図５の使用例では、ブーム３を略水平にした状態で、既張設吊荷ワイヤ５１の基端部側を所定高さのマスト８で持ち上げることで、既張設吊荷ワイヤ（メイン吊荷ワイヤ）５１とブーム上面３１との間に、ブーム３の全長に亘って既張設吊荷ワイヤ５１に引っ掛けたワイヤ張設案内具Ａ（索端固定具６０）がブーム上面３１に接触しない隙間を確保できるようにしたものである。
【００４８】
上記マスト８は、旋回台２の上面（ブーム３の基端部上面でもよい）に対して着脱自在に取付けるか、あるいは起伏自在な構造にして、不使用時に邪魔にならない場所に格納し得るようにするとよい。
【００４９】
図６及び図７に示す第２実施例のワイヤ張設案内具Ｂは、上記図１（第１実施例）と同じ索端固定具６０に、既張設吊荷ワイヤ（メイン吊荷ワイヤ）５１に引っ掛け得る２つの引っ掛け具６５，６５を固定した横長のサポート６６を係止ピン６３で着脱自在に取付け得るようにしたものである。
【００５０】
このサポート６６は、係止ピン６３で枢支される基部６６ａから横向きに長い細片６６ｂを一体に設けたものである。そして、このサポート６６は、その基部６６ａが索端固定具６０に対して１本の係止ピン６３のみで取付けられるので、該サポート６６と索端固定具６０とは係止ピン６３部分を中心にして相対的に揺動するようになっている。
【００５１】
上記サポート６６の細片６６ｂの先端部には、被張設吊荷ワイヤ（サブ吊荷ワイヤ）５２の先端部付近５２ｂを載せ掛けて保持するフック状の保持部６５ａが設けられている。
【００５２】
この第２実施例のワイヤ張設案内具Ｂは、サポート６６の上記保持部６５ａに被張設吊荷ワイヤ（サブ吊荷ワイヤ）５２の先端部付近５２ｂを載せ掛けた状態で、該サポート６６の基部６６ａを係止ピン６３で索端固定具６０の先端部に組付けることで、サポート６６が索端固定具６０に対して、係止ピン６３と保持部６５ａとで２点支持される（サポート６６と索端固定具６０とが相対揺動しなくなる）。
【００５３】
そして、各引っ掛け具６５，６５付きのサポート６６を索端固定具６０に装着した状態で、図７に示すように両引っ掛け具６５，６５を既張設吊荷ワイヤ（メイン吊荷ワイヤ）５１に引っ掛けることで、索端固定具６０を既張設吊荷ワイヤ５１から吊下させ得るようになっている。
【００５４】
この第２実施例のワイヤ張設案内具Ｂでも、上記第１実施例のワイヤ張設案内具Ａと同様に、図２〜図５の工程で被張設吊荷ワイヤをブーム先端部３２まで張設することができる。
【００５５】
尚、この第２実施例のワイヤ張設案内具Ｂでも、被張設吊荷ワイヤの引出し作業を行わないときには、上記サポート６６を索端固定具６０から取外しておけばよい（サポート６６が邪魔にならない）。
【００５６】
本願各実施例のワイヤ張設案内具Ａ，Ｂは、次のような機能を有している。即ち、被張設吊荷ワイヤ（例えばサブ吊荷ワイヤ５２）をブーム基端側からブーム先端部３２まで張設する際に、索端（索端固定具６０）に設けた引っ掛け具６５を既張設吊荷ワイヤ（例えばメイン吊荷ワイヤ５１）に引っ掛けることで、被張設吊荷ワイヤ５２の索端（索端固定具６０）を既張設吊荷ワイヤに宙吊り状態でブーム上面３１に沿って移動させることができる。
【００５７】
従って、既張設側吊荷ワイヤ５１を被張設吊荷ワイヤ５２の索端（索端固定具６０）の移動のためのガイドとして利用できるので、該索端（索端固定具６０）を安定姿勢で且つ確実に引出し側に移動させることができる。
【００５８】
又、上記索端（索端固定具６０）の移動時には、該索端（索端固定具６０）をブーム上面３１に対して無接触状態で移動させることができるので、摺れによってブーム上面３１の塗装が剥げるのを未然に防止できる。
【００５９】
さらに、引っ掛け具６５を索端（索端固定具６０）に着脱させ得るようにしたものでは、該引っ掛け具６５を索端（索端固定具）から取外しておくことで索端（索端固定具６０）の外表面から突出する部分を無くすことができる（引っ掛け具６５が邪魔にならない）。
【００６０】
ところで、上記図２〜図５におけるワイヤ張設案内具の使用例では、被張設吊荷ワイヤ５２をブーム上面３１に沿って張設する場合を説明しているが、このワイヤ張設案内具は、張設状態の吊荷ワイヤをウインチに巻取る（格納する）場合にも使用できる。即ち、この場合は、２本の吊荷ワイヤともにブーム全長に亘って張設している状態から、何れか一方の吊荷ワイヤをウインチに巻取る場合（巻取り側吊荷ワイヤとしてサブ吊荷ワイヤ５２で説明する）であって、まずサブ吊荷ワイヤ（巻取り側吊荷ワイヤ）５２の索端固定具６０から吊荷フックを外して、該索端固定具６０に引っ掛け具６５，６５（又は図６に示す引っ掛け具６５，６５付きのサポート６６）を取付ける。そして、該索端固定具６０の引っ掛け具６５，６５をブーム先端部３２の近傍において張設したままの吊荷ワイヤ５１に引っ掛け、その後、図４に示すようにブーム３を所定小角度だけ起仰させたり図５に示すように張設したままの吊荷ワイヤ５１の基端側をマスト８で持ち上げたりして、張設したままの吊荷ワイヤ５１とブーム上面３１との間に所定間隔の隙間（例えば図４の隙間Ｓ１）を確保した状態で、巻取り側ウインチ（サブウインチ４２）を巻取り作動させる。すると、巻取り側吊荷ワイヤ５２の索端固定具６０が張設したままの吊荷ワイヤ５１から吊下された状態（ブーム上面３１に非接触状態）で張設したままの吊荷ワイヤ５１にガイドされながらブーム基端部まで移動するようになる。そして、旋回台２上で索端固定具６０の引っ掛け具６５，６５を張設したままの吊荷ワイヤ５１から外すと、巻取り側吊荷ワイヤ５２の索端（索端固定具６０）を巻取り側ウインチ４２に巻取ることができる。
【００６１】
このように、本願のワイヤ張設案内具は、張設状態の吊荷ワイヤを巻取る際にも、該巻取り側吊荷ワイヤの索端（索端固定具）を張設したままの吊荷ワイヤをガイドとしてブーム基端側まで移動させることができる。
【符号の説明】
【００６２】
１は車両、２は旋回台、３はブーム、７は牽引ロープ、３１はブーム上面、３２はブーム先端部、４１は第１ウインチ（メインウインチ）、４２は第２ウインチ（サブウインチ）、５１は第１吊荷ワイヤ（メイン吊荷ワイヤ）、５２は第２吊荷ワイヤ（サブ吊荷ワイヤ）、６０はワイヤ索端となる索端固定具、６５は引っ掛け具、Ａは第１実施例のワイヤ張設案内具、Ｂは第２実施例のワイヤ張設案内具である。
【図１】
0003203637.tif 000003
【図２】
0003203637.tif 000004
【図３】
0003203637.tif 000005
【図４】
0003203637.tif 000006
【図５】
0003203637.tif 000007
【図６】
0003203637.tif 000008
【図７】
0003203637.tif 000009